(57)【要約】【課    題】  毛髪の外観から、毛髪の損傷状態あるいは健康程度を把握して最適のヘアースタイリングする方法の提供。【解決手段】毛髪の損傷度を把握し、この損傷の程度に対応して、適切な前処理、軟化時間、パーマ液、パーマ液作用時間及びアイロン温度等を定めてそれに適したヘアースタイリングする。【選択図面】なし【特許請求の範囲】
【請求項１】
毛髪のパーマデザイン、パーマ状態、毛髪外観又はカラー状態の下記損傷度に応じて最適のヘアー処理することを特徴とするヘアースタイリング方法。
１）損傷度１；全体パーマ、部分パーマ又は毛先パーマ及び全体ストレート、部分ストレート、全体カラー又は部分カラー。
２）損傷度２；細かいウエーブ（１０ｍｍ程度）、ソバージュ、ツイスト、表面チリチリ、毛先枝毛又は切れ毛、カラー（明度５〜８トーン）
３）損傷度３；ドレッド（５ｍｍ程度）、アルミパーマ、ブリーチ、ホワイトブリーチ。
【請求項２】
損傷度の総和が、２を越える場合は、硬毛又は軟毛に対してポリペプタイド系たんぱく質補強剤、ヘアー栄養剤及びスクアランオイルから選ばれた手段によって前処理することを特徴とする請求項１のヘアースタイリング方法。
【請求項３】
パーマ液として、上記損傷度の総和が、５以下の場合は一般的なウエーブ剤を、５を越える場合はシスティーンウェーブ剤を使用することを特徴とする請求項１のヘアー処理方法。
【請求項４】
上記パーマとして、損傷度の総和が２以下の場合はハードタイプ、２〜１０の場合はノーマルタイプ、１０を越える場合はソフトタイプのものを使用することを特徴とする請求項３のヘアースタイリング方法。
【請求項５】
パーマ液の放置時間が、上記損傷度の総和が０の場合は２０分以上、５の場合は１０分、７の場合は８分、９の場合は６分、１１の場合は４分、１３の場合は３分、１５の場合は１分とすることを特徴とする請求項３又は４のヘアースタイリング方法。
【請求項６】
損傷度の総和が、５以下の場合は、ロングヘアーは１８０℃、ショートヘアーは１６０℃、４〜７の場合は、ロングヘアー・ショートヘアー共通して１６０℃（但し、損傷度が４〜５のショートヘアーに対しては、ウエーブ剤の選定によって温度を変える）、７〜９の場合は、ロングヘアー・ショートヘアー共通して１３０℃、９を越える場合は１００℃の温度、において加熱処理することを特徴とする請求項３〜５のいずれかに記載のヘアースタイリング方法処理方法。
【発明の詳細な説明】
【技術分野】
【０００１】
本発明は、毛髪の損傷度に対応して最も適当な条件でヘアーカッティング、ヘアーカラーリング及びパーマネント処理などのヘアー処理することによるヘアースタイリング方法に関する。
なお、本発明のヘアースタイリング方法とは、ヘアーカッティング、ヘアーカラーリング及びパーマなどの美容、理容及び理髪に関する一切のヘアー処理を意味する。
【背景技術】
【０００２】
毛髪は、硬毛もしくは軟毛又は直毛、波状毛もしくは縮毛に種類分けすることができる。直毛（ストレートヘアー）は、毛髪断面がほぼ円形で日本人や中国人などのモンゴロイド系に多く、波状毛（ウェービーヘア）は、断面が楕円形でコーカサス系に多く、縮毛（カーリーヘア）は断面が凹み円形でニグロイド系が多いといわれており、約10〜15万本の毛髪が約1.2 ｃｍ／月の成長速度で、毛髪寿命は男性で約３〜５年、女性で４〜６年とされている。また、日本人では、欧米系の平均的な太さである50〜55μｍよりも太く、約80μｍ程度であり、通常、約11〜16％の水分が含まれているものの、水の中に漬けた毛髪は約35〜45％もの水分を含んでいると言われている（花王生活科学研究所著、「ポピュラーサイエンス、ヘアケアの科学」、株式会社裳中華房発行、平成５年発行）。
【０００３】
従来、成人女性に限らず、年少女性も含めてパーマネント、カラーリング処理するのが普通であるが、これらパーマネントやカラーリング処理には毛髪に損傷を与える処理が多い。例えば、パーマネントでは、ロッドの大きさでウエーブのバリエーションをとるロッドパーマ、ピンカールの巻き方で種類が多くあり、また、コンパクトな仕上がり感のあるピンパーマ、毛束を捻りながらロッドに巻いたり、アルミホイールに巻いたりするスパイラルパーマ、毛束をねじ込むようにして留め、イレギュラーなウエーブをつくるツイストパーマ、縮毛を真っ直ぐにし、ボリュームも小さくなるストレートパーマ、毛束をアルミホイールで包むアルミパーマ、毛束を針金に自由自在に巻き付けて止めることによってくせ毛風に仕上げる針金パーマ等の毛髪に損傷を与える多くのパーマネント処理がある。
【０００４】
パーマネント処理のための高アルカリ性のパーマ液は周知であり、高アルカリ性パーマ液が毛髪に塗布されると、毛髪構成成分のタンパク質分子の分子結合を変化させ、この変化状態の間に、典型的には毛髪を櫛で梳いたり、ロールに巻いて張力を加え、ヘアー処理するのが普通である。
従来、毛髪に縮れ毛や枝毛などの損傷がある場合には、それを修復するためにタンパク質コンディショナーを使用していた。
【０００５】
コンディショナーによるタンパク質の補給は、毛髪の触感及び光沢を改善するためのものであり、毛髪を酸化し、分子的に変化していない状態に戻すが、一方で酸化処理を促進するので、同時に酸性の中和液剤が用いられる。このように、強い化学物質を利用するパーマネント処理は少なからず、危険をともなっており、長期的には脱毛を招いたり、毛髪や頭皮を傷つける原因となる。
このような頭皮への直接的な塗布を避けるために、アルカリ性パーマ液は一般に硬質のクリーム又はペーストを使用するが、これらのクリーム又はペーストは、すすぎ落とすことが難しい。また、頭皮を保護するために、油性物質を水中油型エマルジョンとして液剤に加えることもあるが、このような液剤もすすぎ落とすことが難しい。アルカリ性パーマ液の残留物が毛髪に残っていると、コンディショニングによって毛髪構造の質を改善する能力が低下する問題が残る。このように、従来、毛髪の触感及び光沢をさらに改善するための、より容易に、かつ完全に毛髪からすすぎ落とすことのできるパーマ液は存在していなかった。
【０００６】
このため、パーマネント処理（以下、「パーマ処理」）に際しては、毛髪損傷の程度を予めみておくことが、最善の結果を得るために重要な手段であるが、これらの程度を観察や管理するための信頼できる方法も、従来知られていなかった。また、アルカリ性パーマ液と毛髪との反応速度及び最適な反応点を、より正確に、一様に観察し、パーマ処理することが必要となっている。
【０００７】
従来、パーマネント加工方法において、毛髪の予備処理後にパーマ処理する方法としては、毛髪巻付後にパーマネント加工剤を作用後にセットする方法（特許第２８９６５３３号公報）、毛髪の洗浄後にパーマ液を塗布し、パーマ処理する方法（特許第３３４０９９９号公報）、毛髪を湾曲後に輝度を求めて毛髪のつや評価方法（特許第３３４０９７１号公報）、染毛と非染毛に分類し、さらに軟毛、普通毛、硬毛に分けて乾燥度を見定めた後、予め定められたパーマネント処理する方法（特開平１−１７５８０４号公報）などが知られるが、いずれも、毛髪の損傷度に応じてパーマ処理するものではなかった。
【０００８】
【特許文献１】特許第２８９６５３３号公報
【特許文献２】特許第３３４０９９９号公報
【特許文献３】特許第３３４０９７１号公報
【特許文献４】特開平１−１７５８０４号公報
【非特許文献１】花王生活科学研究所著、「ポピュラーサイエンス、ヘアケアの科学」、株式会社裳中華房発行、平成５年発行
【発明の開示】
【発明が解決しようとする課題】
【０００９】
このような状況の中で、毛髪の損傷の程度や健康状態を考慮せずに汎用のパーマ処理していたが、毛髪の健康又は損傷の程度によってウエーブ形態が異なって仕上がったり、パーマ液による処理時間によってウエーブの強弱があらわれたりした。また、処理時間が長くなると、ワインディング時のテンション等の強弱でヘアーデザイン通りのウエーブに仕上がらなかった。
上述するように毛髪の損傷度や健康状態を考慮せずに、規定通りの汎用のパーマ処理しているため、場合によっては毛髪にとって致命的なダメージを受け、そのまま同様の処理を繰り返すことによって回復不可能な脱毛状態に至ることもある。
【００１０】
そこで、本発明者らは、毛髪を化学処理したり、又は加熱処理したりするときに、毛髪を構成するメデュラ、コルテックス及びキューティクルの健全なバランスを保持するための処理の必要なことに着目した。すなわち、毛髪の損傷度により毛髪の健康状態又は損傷状態をみて、この状態に応じて毛髪への損傷を最小限に抑えたヘアー処理をすることが重要であることを見出し、本発明に至った。
【００１１】
すなわち、本発明では、ヘアー処理に先立って、顧客のパーマ、カラー、ストレート、シャンプーの頻度、ホームケアーの状態、毛髪使用製品等を参考にして毛髪の損傷度を的確に把握して、最適のヘアースタイリング処理を決定する方法を提供することを課題とする。
【００１２】
本発明では、上述するように毛髪の状態、すなわちキューティクルの状態によってウエーブ形成が異なって仕上がったり、パーマ剤の処理時間によってウエーブが強く出たり、弱く出たり、ウエーブの変わることを避けて、毛髪の損傷度について、十分な考慮を払うことによって最適のヘアー処理することができる。
【課題を解決するための手段】
【００１３】
本発明では、パーマネント、ヘアーカラーリング処理やヘアーアイロニングの処理に際して、予め現在のパーマデザイン、毛髪外観、カラー状態、毛髪のウエーブ状態等から、毛髪の損傷度のグレード付けする。
【００１４】
すなわち、本発明は、基本的には以下の構成を特徴とするものである。
（１）パーマデザイン、パーマ矯正、毛髪外観又はカラー状態から、毛髪の損傷度を下記項目の損傷度を付け、グレードに応じて最適のヘアー処理することを特徴とするヘアースタイリング方法。
１）損傷度１；全体パーマ、部分パーマ又は毛先パーマ及び全体ストレート、部分ストレート、全体カラー又は部分カラー。
２）損傷度２；細かいウエーブ（１０ｍｍ程度）、ソバージュ、ツイスト、表面チリチリ、毛先枝毛又は切れ毛、カラー（明度５〜８トーン）
３）損傷度３；ドレッド（５ｍｍ程度）、アルミパーマ、ブリーチ、ホワイトブリーチ。
（２）上記損傷度の総和が、２を越える場合は、硬毛又は軟毛に対してポリペプタイド系たんぱく質補強剤、ヘアー栄養剤及びスクアランオイルから選ばれた手段によって前処理することを特徴とする（１）のヘアースタイリング方法。
（３）パーマ液の選定に際して、上記損傷度の総和が、５以下の場合は一般的なウエーブ剤を用い、５を越える場合はシスティーンウエーブ剤を用いることを特徴とする（１）のヘアー処理方法。
（４）上記ウエーブ剤の中で、上記損傷度の総和が２以下の場合はハードタイプ、２〜１０の場合はノーマルタイプ、１０を越える場合はソフトタイプのものを使用することを特徴とする（３）のヘアースタイリング方法。
（５）パーマ液の放置時間が、上記損傷度の総和が０の場合は２０分以上、損傷度の総和が５の場合は１０分、損傷度の総和が７の場合は８分、損傷度の総和が９の場合は６分、損傷度の総和が１１の場合は４分、損傷度の総和が１３の場合は３分、損傷度の総和が１５の場合は１分とすることを特徴とする（３）又は（４）のヘアースタイリング方法。
（６）パーマ加熱処理に際して、上記損傷度の総和が５以下の場合は、ロングヘアーは１８０℃、ショートヘアーは１６０℃、４〜７の場合は、ロングヘアー・ショートヘアー共通して１６０℃（但し、損傷度が４〜５のショートヘアーに対しては、ウエーブ剤の選定によって温度を変える）、７〜９の場合は、ロングヘアー・ショートヘアー共通して１３０℃、９を越える場合は１００℃の温度、においてヘアー処理することを特徴とする（１）〜（５）のいずれかに記載のヘアースタイリング方法。
【００１５】
本発明では、毛髪の外観等から、毛髪の健康状態や損傷状態のグレードをつける目安として、下記表１の観察項目毎にグレードを定めておいて、これを毛髪の損傷度とする。
【００１６】
毛髪の損傷度のグレード
【表１】
2004290681.tif 000002
【００１７】
本発明では、表１の「毛髪の損傷度表」に示すように、「パーマデザイン」、「パーマ状態」、「毛髪外観」及び「カラー状態」のそれぞれにおいて「グレード１」から「グレード３」までの毛髪の損傷度とする。
【００１８】
すなわち、本発明の表１の「毛髪の損傷度表」によれば、(1)「パーマデザイン」では、「全体パーマ、部分パーマ、毛先パーマ」をグレード１の損傷度、「細かいウエーブ（１０ｍｍ程度）、ソバージュ、ツイストパーマ」をグレード２の損傷度、「ドレッド（５ｍｍ程度）、アルミパーマ」をグレード３の損傷度とする。
【００１９】
また、(2)「パーマ状態」においては、「全体ストレート、部分ストレート」をグレード１の損傷度、「表面チリチリ」をグレード２の損傷度とする。さらに(3)「毛髪外観」においては、「毛先枝毛、切れ毛」をグレード２の損傷度として、同じく(4)「カラー状態」においては、「全体カラー、部分カラー」をグレート１の損傷度、「カラー（明度５〜８トーン）」をグレード２の損傷度、「ホワイトブリーチ、ブリーチ（明度８トーン超）」をグレード３の損傷度とする。
【００２０】
次に、表１によって、損傷度のグレード化の例をみてみる。
例えば、表１によって、或る顧客の毛髪について観察した結果、頭髪の「全域にパーマがかかっている」（「全体パーマ」＝グレード１）、「ヘアーの部分域に明度トーン４のカラーが施されている」（「部分カラー」＝グレード１）、毛髪には「全体的にツイストパーマがかかっている」（「ツイストパーマ」＝グレード２）、「ホワイトブリーチが施されている」（「ホワイトブリーチ」＝グレード３）。
してみると、グレード１（「全体パーマ」）、グレード１（「部分カラー」）、グレード２（「ツイストパーマ」）及びグレード３（「ホワイトブリーチ」）の総和は、「７」となる。
【発明の効果】
【００２１】
本発明では、ヘアー処理に先立って、毛髪の健康状態又は損傷度を数値化することによって、毛髪にとって最適のスタイリング処理を定めるが、このような毛髪の観察によって、パーマやカラーリングによる毛髪の損傷を最小限に抑え、毛髪の安定な健康状態を維持できる。
また、顧客の毛髪の健康状態に関するカルテを保存しておくことによって、顧客のオーダーに即時対応して顧客に最適のヘアー処理を実施することができる。
【発明を実施するための最良の形態】
【００２２】
本発明を図及び表を用いて、さらに詳細に説明する。
図１は、毛髪外観と損傷度との関連、図２は、損傷度による「前処理」及び「軟化時間」を、図３は、損傷度による「パーマ液の選定」、「パーマ液作用時間（処理液放置時間）」及び「アイロン温度」を示す。
【００２３】
なお、以下において、これらの毛髪の損傷度に対応して、前処理、軟化時間、薬液（パーマ液）の選定、薬液作用時間、アイロン温度等を説明するものであるが、これらの例は、あくまで例示的に示すもので、本発明の本質は、基本的には毛髪の損傷度に適切に対応するヘアー処理方法にある。
【００２４】
１．前処理・軟化時間；
図１によれば、一般的な毛髪は、損傷度は０〜４であり、これ以上、特に６を越えると、その毛髪の健康状態は損なわれている。この場合は、パーマやカラーリング処理には緩やかなソフトの処理条件が必要となる。
【００２５】
図２によれば、損傷度が低い程度の毛髪の場合は、パーマの前処理としてスチーム処理は全く問題ないが、損傷が若干でも見られる場合には、処理水をスプレーする、いわゆる“ヘアーウォータ処理”が必要である。また、損傷度が２を越えると、損傷度に応じた処理が必要となる。
【００２６】
硬毛の場合は、必要な手段として、例えば図２に示すように、予備処理として、(1)ポリペプタイド系たんぱく質補強剤を使用する「ＰＰＴ」処理、(2)「ＰＰＴ」にさらに毛髪栄養剤を用いた「トリートメント５倍液」を加えた処理、(3)「ＰＰＴ」に毛髪栄養剤を用いた「トリートメント５倍液」にさらに「スクアランオイル」を加えた処理を使い分ける必要がある。
【００２７】
また、軟毛の場合は、図２にあるように、上記「ＰＰＴ」に替えて、「エッセンス」を、「トリートメント５倍液」に替えて「トリートメント３倍液」を使用する。さらに、ウエーブ剤として、軟毛、硬毛に限らず、損傷度５〜６を境にして、一般的な「ウエーブ剤」と「システィーンウエーブ剤」を使い分ける必要がある。
損傷度０であれば、軟化時間は２０分に設定するが、損傷度が大になるにしたがって軟化時間を短縮する必要がある。
【００２８】
２．薬液選定・薬液作用時間・アイロン温度；
図３に示すように、(1)損傷度２以下の場合、パーマ薬液（「パーマ液」）はハードタイプを、(2) 損傷度２〜１０の場合、ノーマルタイプを、(3)損傷度１０を越える場合、ソフトタイプのものをそれぞれ使用する必要がある。また、損傷度６を境にして一般的なウエーブ剤又はシスティーンウエーブ剤を使用する。
【００２９】
また、薬液作用時間（放置時間）と損傷度の関係をみてみると、損傷度が大きくなるにしたがって、薬液作用時間を短縮する必要があり、例えば、損傷度０で２０分、損傷度５で１０分、損傷度１０で５分程度である。
さらにパーマネント加熱処理のときは、図３に示すように(1)損傷度５以下の場合、ロング１８０℃、ショート１６０℃、(2)損傷度４〜７の場合、ロング・ショートともに１６０℃で加熱処理する。ただ、損傷度が４〜５のショートヘアーに対しては、ウエーブ剤の選定によって温度を変える必要がある。また、(3)損傷度７〜９の場合、ロング・ショートともに１３０℃、(4)損傷度９を越える場合、ロング・ショートともに１００℃の加熱処理を行なう必要がある。
【図面の簡単な説明】
【００３０】
【図１】毛髪損傷度の表
【図２】損傷度による前処理手段／軟化時間を示す。
【図３】損傷度による薬液選定基準、薬液作用時間及びアイロン温度を示す。
【図１】
2004290681.tif 000003
【図２】
2004290681.tif 000004
【図３】
2004290681.tif 000005